(57)【要約】【課題】この発明は、受信したＲＧＢ信号を、その垂直ライン数に応じて、予め設定されている映像出力フォーマットの中で最も高画質に表示し得るフォーマットに変換するようにして、垂直解像度の劣化を防止し得るようにした映像信号受信装置及び映像信号受信方法を提供することを目的としている。【解決手段】ＶＧＡ、ＳＶＧＡ及びＸＧＡに対応するＲＧＢ信号を選択的に受信する受信手段１７と、受信手段１７で受信したＲＧＢ信号の種類を検出する検出手段２８と、検出手段２８の検出結果に基づいて、ＶＧＡに対応するＲＧＢ信号を５４０ｐフォーマットに変換して出力し、ＳＶＧＡ及びＸＧＡに対応するＲＧＢ信号を１０８０ｉフォーマットに変換して出力する変換手段１８，２３とを備える。【選択図】    図１
2005341233.tif 000002
【特許請求の範囲】
【請求項１】
垂直ライン数の異なる複数種類のＲＧＢ信号を選択的に受信する受信手段と、
前記受信手段で受信したＲＧＢ信号の水平及び垂直周波数を検出する検出手段と、
前記検出手段で検出された周波数に基づいて、前記受信手段で受信したＲＧＢ信号を、予め設定された映像出力フォーマットであるインターレースフォーマット及びプログレッシブフォーマットのうち、垂直解像度の高くなるフォーマットに変換して出力する変換手段とを具備したことを特徴とする映像信号受信装置。
【請求項２】
前記予め設定された映像出力フォーマットであるインターレースフォーマット及びプログレッシブフォーマットが、それぞれ１０８０ｉ及び５４０ｐであるとき、
前記変換手段は、垂直ライン数が５４０本未満のＲＧＢ信号を５４０ｐフォーマットに変換して出力し、垂直ライン数が５４０本以上のＲＧＢ信号を１０８０ｉフォーマットに変換して出力することを特徴とする請求項１記載の映像信号受信装置。
【請求項３】
前記垂直ライン数の異なる複数種類のＲＧＢ信号が、ＶＧＡ、ＳＶＧＡ及びＸＧＡに対応し、
前記予め設定された映像出力フォーマットであるインターレースフォーマット及びプログレッシブフォーマットが、それぞれ１０８０ｉ及び５４０ｐであるとき、
前記変換手段は、前記ＶＧＡに対応するＲＧＢ信号を５４０ｐフォーマットに変換して出力し、前記ＳＶＧＡ及びＸＧＡに対応するＲＧＢ信号を１０８０ｉフォーマットに変換して出力することを特徴とする請求項１記載の映像信号受信装置。
【請求項４】
ＶＧＡ、ＳＶＧＡ及びＸＧＡに対応するＲＧＢ信号を選択的に受信する受信手段と、
前記受信手段で受信したＲＧＢ信号の種類を検出する検出手段と、
前記検出手段の検出結果に基づいて、前記ＶＧＡに対応するＲＧＢ信号を５４０ｐフォーマットに変換して出力し、前記ＳＶＧＡ及びＸＧＡに対応するＲＧＢ信号を１０８０ｉフォーマットに変換して出力する変換手段とを具備したことを特徴とする映像信号受信装置。
【請求項５】
前記受信手段で受信したＲＧＢ信号をインターレースフォーマットに変換するかプログレッシブフォーマットに変換するかを、切り替え可能な操作手段を具備したことを特徴とする請求項１乃至４いずれかに記載の映像信号受信装置。
【請求項６】
垂直ライン数の異なる複数種類のＲＧＢ信号を選択的に受信する工程と、
受信したＲＧＢ信号の水平及び垂直周波数を検出する工程と、
検出された周波数に基づいて、受信したＲＧＢ信号を、予め設定された映像出力フォーマットであるインターレースフォーマット及びプログレッシブフォーマットのうち、垂直解像度の高くなるフォーマットに変換して出力する工程とを具備したことを特徴とする映像信号受信方法。
【請求項７】
前記予め設定された映像出力フォーマットであるインターレースフォーマット及びプログレッシブフォーマットが、それぞれ１０８０ｉ及び５４０ｐであるとき、
垂直ライン数が５４０本未満のＲＧＢ信号を５４０ｐフォーマットに変換して出力し、垂直ライン数が５４０本以上のＲＧＢ信号を１０８０ｉフォーマットに変換して出力することを特徴とする請求項６記載の映像信号受信方法。
【請求項８】
前記垂直ライン数の異なる複数種類のＲＧＢ信号が、ＶＧＡ、ＳＶＧＡ及びＸＧＡに対応し、
前記予め設定された映像出力フォーマットであるインターレースフォーマット及びプログレッシブフォーマットが、それぞれ１０８０ｉ及び５４０ｐであるとき、
前記ＶＧＡに対応するＲＧＢ信号を５４０ｐフォーマットに変換して出力し、前記ＳＶＧＡ及びＸＧＡに対応するＲＧＢ信号を１０８０ｉフォーマットに変換して出力することを特徴とする請求項６記載の映像信号受信方法。
【請求項９】
ＶＧＡ、ＳＶＧＡ及びＸＧＡに対応するＲＧＢ信号を選択的に受信する工程と、
受信したＲＧＢ信号の種類を検出する工程と、
検出結果に基づいて、前記ＶＧＡに対応するＲＧＢ信号を５４０ｐフォーマットに変換して出力し、前記ＳＶＧＡ及びＸＧＡに対応するＲＧＢ信号を１０８０ｉフォーマットに変換して出力する工程とを具備したことを特徴とする映像信号受信方法。
【請求項１０】
受信したＲＧＢ信号をインターレースフォーマットに変換するかプログレッシブフォーマットに変換するかを、操作によって切り替える工程を具備したことを特徴とする請求項６乃至９いずれかに記載の映像信号受信方法。
【発明の詳細な説明】
【技術分野】
【０００１】
この発明は、垂直ライン数の異なる複数種類のＲＧＢ信号を選択的に受信して、表示装置に準拠したフォーマットの映像信号に変換する映像信号受信装置及び映像信号受信方法に関する。
【背景技術】
【０００２】
周知のように、近年のテレビジョン受信機にあっては、垂直ライン数の異なる複数種類のＲＧＢ信号を選択的に受信し、それをテレビジョンフォーマットの映像信号に変換して映像表示する機能を備えたものが出現している。
【０００３】
具体的に言えば、ＰＣ（Personal Computer）から、ＶＧＡ（Video Graphics Array）、ＳＶＧＡ（Super Video Graphics Array）またはＸＧＡ（eXtended Graphics Array）に対応した複数種類のコンピュータグラフィックスフォーマットで出力されるＲＧＢ信号を選択的に受信し、それをＣＲＴ（Cathode Ray Tube）等に準拠したインターレースフォーマットに変換して映像表示している。
【０００４】
特許文献１には、ＰＣから出力される映像信号をインターレース変換するために尺度変換する構成や、インターレース変換過程におけるフリッカを低減する構成等が開示されている。ところで、コンピュータグラフィックスフォーマットの映像信号を、テレビジョンフォーマットの映像信号に変換して映像表示する技術は、まだまだ開発途上にある段階であり、種々の点で改良の余地が多々残されているのが現状である。
【特許文献１】特表２００２−５１５９８８号公報
【発明の開示】
【発明が解決しようとする課題】
【０００５】
そこで、この発明は上記事情を考慮してなされたもので、受信したＲＧＢ信号を、その垂直ライン数に応じて、予め設定されている映像出力フォーマットの中で最も高画質に表示し得るフォーマットに変換するようにして、垂直解像度の劣化を防止し得るようにした映像信号受信装置及び映像信号受信方法を提供することを目的とする。
【課題を解決するための手段】
【０００６】
この発明に係る映像信号受信装置は、垂直ライン数の異なる複数種類のＲＧＢ信号を選択的に受信する受信手段と、受信手段で受信したＲＧＢ信号の水平及び垂直周波数を検出する検出手段と、検出手段で検出された周波数に基づいて、受信手段で受信したＲＧＢ信号を、予め設定された映像出力フォーマットであるインターレースフォーマット及びプログレッシブフォーマットのうち、垂直解像度の高くなるフォーマットに変換して出力する変換手段とを備えるようにしたものである。
【０００７】
また、この発明に係る映像信号受信方法は、垂直ライン数の異なる複数種類のＲＧＢ信号を選択的に受信する工程と、受信したＲＧＢ信号の水平及び垂直周波数を検出する工程と、検出された周波数に基づいて、受信したＲＧＢ信号を、予め設定された映像出力フォーマットであるインターレースフォーマット及びプログレッシブフォーマットのうち、垂直解像度の高くなるフォーマットに変換して出力する工程とを備えるようにしたものである。
【発明の効果】
【０００８】
上記した発明によれば、受信したＲＧＢ信号を、その垂直ライン数に応じて、予め設定された映像出力フォーマットであるインターレースフォーマット及びプログレッシブフォーマットのうち、垂直解像度の高くなるフォーマットに変換して出力することにより、垂直解像度の劣化を防止することが可能となる。
【発明を実施するための最良の形態】
【０００９】
以下、この発明の実施の形態について図面を参照して詳細に説明する。図１は、この実施の形態で説明する映像信号受信装置１１を示している。この映像信号受信装置１１は、テレビジョン放送信号を受信する機能と、ＶＧＡ，ＳＶＧＡまたはＸＧＡに対応した複数種類のＲＧＢ信号を受信する機能とを有している。
【００１０】
すなわち、テレビジョン放送信号は、アンテナ１２で受信され、ＴＶ（television）入力端子１３を介して受信部１４に供給される。この受信部１４は、入力されたテレビジョン放送信号から所定のチャンネルの信号を抽出してセレクタ１５に出力している。また、外部のＰＣ１６から供給されるＲＧＢ信号は、入力端子１７を介してセレクタ１５に供給される。
【００１１】
このセレクタ１５は、入力された２系統の映像信号のうちの一方を選択して信号処理部１８に導出している。この信号処理部１８は、入力された映像信号に対して、映像信号処理部１９により復調処理を施した後、出力フォーマット変換部２０により後段の表示部２１に準拠したフォーマット変換処理を施している。そして、この信号処理部１８から出力された映像信号は、映像出力端子２２を介してＣＲＴ等の表示部２１に供給され、映像表示に供される。
【００１２】
ここで、この映像信号受信装置１１は、上記した各種の受信動作を含むその全ての動作を制御部２３によって統括的に制御されている。この制御部２３は、ＣＰＵ（Central Processing Unit）等を内蔵しており、操作部２４からの操作情報を受け、または、リモートコントローラ２５から送出された操作情報を受信部２６を介して受信し、その操作内容が反映されるように各部をそれぞれ制御している。
【００１３】
この場合、制御部２３は、メモリ部２７を利用している。すなわち、このメモリ部２７は、主として、制御部２３のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００１４】
ここにおいて、上記セレクタ１５で選択された映像信号は、検出部２８に供給される。この検出部２８は、水平及び垂直周波数を検出して、検出結果を制御部２３に供給している。
【００１５】
そして、制御部２３は、検出部２８から供給された周波数に基づいて、そのＲＧＢ信号を、表示部２１に準拠したフォーマットの中で最も垂直解像度を高く表示し得るフォーマットに変換するように、信号処理部１８を制御する。
【００１６】
具体的に言えば、上記表示部２１が、水平周波数３３．７５ｋＨｚ、垂直周波数６０Ｈｚで、１０８０ｉ（interlace）のＨＤ（High Definition）フォーマットの映像表示に準拠したものであるとする。この場合、ＰＣ１６から出力されるＶＧＡ，ＳＶＧＡまたはＸＧＡに対応したＲＧＢ信号に対しても、表示部２１に準拠するようにフォーマット変換を行なう必要が生じる。
【００１７】
ところが、ＲＧＢ信号は、プログレッシブフォーマットであるため、インターレースフォーマットに変換することなく、プログレッシブフォーマットで映像表示することが望ましいとされる。つまり、この場合、表示部２１に準拠させるためには、水平周波数３３．７５ｋＨｚ、垂直周波数６０Ｈｚで、５４０ｐ（progressive）のフォーマットに変換することになる。
【００１８】
しかしながら、ＶＧＡ，ＳＶＧＡまたはＸＧＡに対応した全ての種類のＲＧＢ信号を、単純に５４０ｐのフォーマットに変換してしまうと、ＸＧＡに対応したフォーマットの映像信号の場合には、その垂直方向のライン数７６８本が５４０本に変換されるため、垂直解像度感が劣化して細かい文字等がぼやけて見えることになる。
【００１９】
ここで、走査線数に対する実効的な垂直解像度の比を表わす係数（ケル係数：ｋ＝０．７）を用いて比較すると、１０８０ｉでの垂直解像度は１０８０×ｋ＝７５６本となり、５４０ｐでの垂直解像度は５４０本である。つまり、１０８０ｉで映像表示すると、５４０ｐで映像表示するのに比して、垂直解像度感が約１．４倍高くなり、細かい文字表示を改善することができることがわかる。このことは、垂直ライン数が６００本であるＳＶＧＡに対応したＲＧＢ信号の場合にも同様である。
【００２０】
以上のことをまとめると、受信したＲＧＢ信号の垂直ライン数が５４０本未満である場合、つまり、ＶＧＡに対応したＲＧＢ信号の場合、５４０ｐフォーマットに変換して映像表示させ、受信したＲＧＢ信号の垂直ライン数が５４０本以上である場合、つまり、ＳＶＧＡまたはＸＧＡに対応したＲＧＢ信号の場合、１０８０ｉフォーマットに変換して映像表示させることが、表示部２１で最も垂直解像度を高く表示することになる。
【００２１】
図２及び図３は、以上の動作をまとめたフローチャートを示している。すなわち、処理が開始（ステップＳ１）され、ステップＳ２で、ＲＧＢ信号が受信されると、検出部２８は、ステップＳ３で、受信されたＲＧＢ信号の水平及び垂直周波数を検出し、その検出結果を制御部２３に出力する。
【００２２】
すると、制御部２３は、ステップＳ４で、受信されたＲＧＢ信号がＶＧＡに対応したものであるか否かを判別し、ＶＧＡ対応のＲＧＢ信号であると判断された場合（ＹＥＳ）、ステップＳ５で、そのＲＧＢ信号を５４０ｐフォーマットに変換するために必要な各種の制御データを設定し、ステップＳ６で、制御データを信号処理部１８に送信する。これにより、信号処理部１８は、ステップＳ７で、入力されたＲＧＢ信号を５４０ｐ、６０Ｈｚに変換して表示部２１に出力し、処理を終了（ステップＳ８）する。
【００２３】
また、上記ステップＳ４で、受信されたＲＧＢ信号がＶＧＡに対応したものでないと判断された場合（ＮＯ）、制御部２３は、ステップＳ９で、受信されたＲＧＢ信号がＳＶＧＡに対応したものであるか否かを判別し、ＳＶＧＡ対応のＲＧＢ信号であると判断された場合（ＹＥＳ）、ステップＳ１０で、そのＲＧＢ信号を１０８０ｉフォーマットに変換するために必要な各種の制御データを設定し、ステップＳ１１で、制御データを信号処理部１８に送信する。これにより、信号処理部１８は、ステップＳ１２で、入力されたＲＧＢ信号を１０８０ｉ、６０Ｈｚに変換して表示部２１に出力し、処理を終了（ステップＳ８）する。
【００２４】
さらに、上記ステップＳ９で、受信されたＲＧＢ信号がＳＶＧＡに対応したものでないと判断された場合（ＮＯ）、制御部２３は、ステップＳ１３で、受信されたＲＧＢ信号がＸＧＡに対応したものであるか否かを判別し、ＸＧＡ対応のＲＧＢ信号であると判断された場合（ＹＥＳ）、ステップＳ１４で、そのＲＧＢ信号を１０８０ｉフォーマットに変換するために必要な各種の制御データを設定し、ステップＳ１５で、制御データを信号処理部１８に送信する。これにより、信号処理部１８は、ステップＳ１６で、入力されたＲＧＢ信号を１０８０ｉ、６０Ｈｚに変換して表示部２１に出力し、処理を終了（ステップＳ８）する。
【００２５】
なお、上記ステップＳ１３で、受信されたＲＧＢ信号がＸＧＡに対応したものでないと判断された場合（ＮＯ）、制御部２３は、ステップＳ１７で、ＲＧＢ信号が受信されていないと判断して、処理を終了（ステップＳ８）する。
【００２６】
図４は、この発明の他の実施の形態を示している。図４において、図１と同一部分には同一符号を付して説明すると、操作部２４及びリモートコントローラ２５に、受信したＲＧＢ信号を１０８０ｉフォーマットに変換して映像表示させるか、５４０ｐフォーマットに変換して映像表示させるかを、ユーザが切り替えるための切替スイッチ２４ａ，２５ａを設置している。
【００２７】
すなわち、上記した実施の形態では、ＳＶＧＡまたはＸＧＡに対応したＲＧＢ信号を１０８０ｉフォーマットに変換して垂直解像度の高い映像表示を行なわせるようにしたが、インターレース走査ではラインフリッカと称される画面のちらつきが生じ、これが目立つことがある。一方、プログレッシブフォーマットでは、ラインフリッカは発生しないが、垂直解像度がインターレースに比べて劣化する。
【００２８】
そこで、図２及び図３で説明した動作により、受信したＲＧＢ信号に対して、その垂直ライン数に応じたフォーマット変換を行なった後、ユーザが実際の表示画面を見て、切替スイッチ２４ａ，２５ａにより１０８０ｉフォーマットと５４０ｐフォーマットとを切り替えて、画質の良い方を選択することができるようにしている。
【００２９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００３０】
【図１】この発明の実施の形態を示すもので、映像信号受信装置を説明するために示すブロック構成図。
【図２】同実施の形態における映像信号受信装置の主要な動作の一部を説明するために示すフローチャート。
【図３】同実施の形態における映像信号受信装置の主要な動作の残部を説明するために示すフローチャート。
【図４】この発明の他の実施の形態を示すもので、映像信号受信装置を説明するために示すブロック構成図。
【符号の説明】
【００３１】
１１…映像信号受信装置、１２…アンテナ、１３…ＴＶ入力端子、１４…受信部、１５…セレクタ、１６…ＰＣ、１７…入力端子、１８…信号処理部、１９…映像信号処理部、２０…出力フォーマット変換部、２１…表示部、２２…映像出力端子、２３…制御部、２４…操作部、２５…リモートコントローラ、２６…受信部、２７…メモリ部、２８…検出部。
【図１】
2005341233.tif 000003
【図２】
2005341233.tif 000004
【図３】
2005341233.tif 000005
【図４】
2005341233.tif 000006